(57)【要約】【課題】  光透過性基材に形成された装飾模様を可視領域の光を利用して任意の色で輝光表示を可能にし、かつ変化に富んだ見栄えの良い装飾用パネルを提供する。【解決手段】  基材１１の裏面１１ｂに多数の微小反射部１２１を基材１１の裏面１１ｂに沿い連続して配列することで装飾模様１２を構成する。多数の微小反射部１２１は三角屋根型の三次元形状を呈する凹状反射面１２１ａで形成され、この凹状反射面１２１ａで反射される光の輝度に１／ｆゆらぎの明暗を生じさせて装飾模様１２に光の明暗を付け、さらに、多数の微小反射部１２１の凹状反射面１２１ａと光学装飾膜との界面を透過して光学装飾膜１３に入射する入射光のうち、光学装飾膜１３の屈折率と膜厚で決定される特定の色の光を光学装飾膜１３で分離して微小反射部１２１に向け反射させることにより、装飾模様１２を上記光の明暗に合わせた濃淡色に着色する。【選択図】  図３
2009083375.tif 000002
【特許請求の範囲】
【請求項１】
光が入射される面と反対の面に装飾模様を有する透明な板状の基材と、
前記基材の光入射面と反対の面及び前記装飾模様の少なくとも前記装飾模様上に形成された着色用の光学装飾膜とを備え、
前記装飾模様は、前記光学装飾膜との界面である前記光入射側の面と反対の面に形成された多数の微小反射部を前記反対の面に沿い連続して配列することで構成され、
前記多数の微小反射部は、前記基材に入射される入射光を反射または透過するとともに当該反射する光の輝度に１／ｆゆらぎの明暗を生じさせて前記装飾模様に光の明暗を付ける三次元形状の反射面で形成され、
前記光学装飾膜は、前記多数の微小反射部の反射面と前記光学装飾膜との界面を透過して前記光学装飾膜に入射する入射光のうち、特定の色の光を前記微小反射部に向け反射することで前記装飾模様を前記光の明暗に合わせて着色表示するように構成したことを特徴とする装飾用パネル。
【請求項２】
一方の面に装飾模様を有する透明または不透明な板状の基材と、
前記基材の一方の面及び前記装飾模様の少なくとも前記装飾模様上に形成された着色用の光学装飾膜とを備え、
前記装飾模様は、前記光学装飾膜との界面である前記基材の一方の面に形成された多数の微小反射部を前記一方の面に沿い連続して配列することで構成され、
前記多数の微小反射部は、前記光学装飾膜を透過して前記基材に入射される入射光を反射または透過するとともに当該反射する光の輝度に１／ｆゆらぎの明暗を生じさせて前記装飾模様に光の明暗を付ける三次元形状の反射面で形成され、
前記光学装飾膜は、該光学装飾膜に入射される入射光のうち、特定の色の光を前記基材と反対の方向へ反射することで前記装飾模様を前記光の明暗に合わせて着色表示するように構成したことを特徴とする装飾用パネル。
【請求項３】
前記光学装飾膜は、低屈折の薄膜層と高屈折の薄膜層を交互に複数積層することで構成され、前記積層される薄膜層の屈折率と膜厚を変えることで特定の色の光を反射し、それ以外の色の光を透過するようにしたことを特徴とする請求項１または２記載の装飾用パネル。
【請求項４】
前記微小反射部は、前記記載の光入射側の面と反対の面もしくは前記基材の一方の面に該面に沿い連続して二次元方向に任意のピッチで形成された三角型、台形型、半球型、半楕円球型、波型等の凹状または凸状の三次元形状を呈することを特徴とする請求項１または２記載の装飾用パネル。
【請求項５】
前記基材の光入射側である表面に、加飾用の模様パターンを有する半透明もしくは透明な加飾層が形成されていることを特徴とする請求項１記載の装飾用パネル。
【請求項６】
前記基材は有色透明な材質であることを特徴とする請求項１または２項に記載の装飾用パネル。
【発明の詳細な説明】
【技術分野】
【０００１】
本発明は、車両用インストルメントパネルの装飾または家具の扉表面や引き出し用鏡板の装飾、携帯電話機本体の表面の装飾、電化製品の表面の装飾などに使用される装飾用パネルに関し、さらに詳しくは、光透過性基材に形成された装飾用の模様パターンを可視領域の色光を利用して任意の色で輝光表示できるようにした装飾用パネルに関するものである。
【背景技術】
【０００２】
従来の装飾用パネル、例えば自動車用装飾パネルとして、乗用車の後部端のリアコンビネーションランプ間に装着されるガーニッシュが知られている（特許文献１参照）。
この種の装飾パネルは、アクリル等の透明な合成樹脂材からなるカバーと、このカバーを自動車の車体に取り付けるための取付基材とを備え、カバーの外表面は平滑な面に加工されているとともに取付基材と相対向する内表面には細かい凹凸模様（シボ）が形成されている。また、カバーの内表面と相対向する取付基材の表面には平面的に連続した凹球状の魚眼を形成し、さらに、この凹球状の魚眼にシルバーメタリック塗料を塗布してメタリック塗膜面を形成する。
【０００３】
このような装飾パネルにおいては、カバーを透過した光はカバー内表面の細かい凹凸模様（シボ）により複雑に散乱され、この散乱光が取付基材のメタリック塗膜面に入射されると、凹球状の魚眼形状からくる凹面鏡の作用によって、その入射光の反射の乱れが集約された反射光となり、これにより、フレネルレンズの効果を出して、奥行きの深さを表現できる装飾パネルを提供できるようにしている。
【特許文献１】特開平４−７８６３２号公報
【発明の開示】
【発明が解決しようとする課題】
【０００４】
しかし、このような従来の装飾パネルは、細かい凹凸模様を有するカバーと、このカバーと対向する表面に形成した凹球状の魚眼にシルバーメタリック塗料を塗布してなるメタリック塗膜面を有する取付基材とから構成されるものであるため、乗用車のガーニッシュなどには好適であるものの、車両用インストルメントパネルの装飾または家具の扉表面や引き出し用鏡板の装飾、携帯電話機本体の表面の装飾などに用いられる装飾パネルには不向きである。なぜならば、装飾パネルはカバーと取付基材とを空間を介して対向配置される構造であるため、装飾パネル自体が厚くなって薄型化できないほか、装飾パネルの構成部品点数が多くなり、コスト高になるという問題がある。
【０００５】
また、従来の装飾パネルを構成する取付基材のメタリック塗膜面は凹球状の凹面鏡からなり、この凹面鏡でカバーの凹凸模様で散乱されて入射される光を集約された反射光、すなわち凹面鏡の大きさに応じた径のスポット光として反射するものであるため、このスポット状反射光の輝度はほとんど均一であるとともに、装飾パネルに対し視点を変えてもスポット光の輝度は変化しない。その結果、インストルメントパネルやドアートリムなどの自動車内装部品の装飾や電化製品などの装飾には変化が乏しく、かつ見栄えが低いという問題があった。
【０００６】
本発明は上記のような従来の問題を解決するためになされたもので、光透過性基材に形成された装飾模様を可視領域の光を利用して任意の色で輝光表示できるとともに、変化に富んだ見栄えの良い光学的装飾を可能にし、併せて見る者の視覚に作用して、癒し、くつろぎ、または安らぎを与える光学的装飾効果を発揮できる装飾用パネルを提供することを目的とする。
【課題を解決するための手段】
【０００７】
上記の目的を達成するために請求項１の発明は、装飾用パネルであって、光が入射される面と反対の面に装飾模様を有する透明な板状の基材と、前記基材の光入射面と反対の面及び前記装飾模様の少なくとも前記装飾模様上に形成された着色用の光学装飾膜とを備え、前記装飾模様は、前記光学装飾膜との界面である前記光入射側の面と反対の面に形成された多数の微小反射部を前記反対の面に沿い連続して配列することで構成され、前記多数の微小反射部は、前記基材に入射される入射光を反射または透過するとともに当該反射する光の輝度に１／ｆゆらぎの明暗を生じさせて前記装飾模様に光の明暗を付ける三次元形状の反射面で形成され、前記光学装飾膜は、前記多数の微小反射部の反射面と前記光学装飾膜との界面を透過して前記光学装飾膜に入射する入射光のうち、特定の色の光を前記微小反射部に向け反射することで前記装飾模様を前記光の明暗に合わせて着色表示するように構成したことを特徴とする。
【０００８】
請求項２の発明は、装飾用パネルであって、一方の面に装飾模様を有する透明または不透明な板状の基材と、前記基材の一方の面及び前記装飾模様の少なくとも前記装飾模様上に形成された着色用の光学装飾膜とを備え、前記装飾模様は、前記光学装飾膜との界面である前記基材の一方の面に形成された多数の微小反射部を前記一方の面に沿い連続して配列することで構成され、前記多数の微小反射部は、前記光学装飾膜を透過して前記基材に入射される入射光を反射または透過するとともに当該反射する光の輝度に１／ｆゆらぎの明暗を生じさせて前記装飾模様に光の明暗を付ける三次元形状の反射面で形成され、前記光学装飾膜は、該光学装飾膜に入射される入射光のうち、特定の色の光を前記基材と反対の方向へ反射することで前記装飾模様を前記光の明暗に合わせて着色表示するように構成したことを特徴とする。
【０００９】
請求項３の発明は、請求項１または２記載の装飾用パネルにおいて、前記光学装飾膜は、低屈折の薄膜層と高屈折の薄膜層を交互に複数積層することで構成され、前記積層される薄膜層の屈折率と膜厚を変えることで特定の色の光を反射し、それ以外の色の光を透過するようにしたことを特徴とする。
【００１０】
請求項４の発明は、請求項１または２記載の装飾用パネルにおいて、前記微小反射部は、前記記載の光入射側の面と反対の面もしくは前記基材の一方の面に該面に沿い連続して二次元方向に任意のピッチで形成された三角型、台形型、半球型、半楕円球型、波型等の凹状または凸状の三次元形状を呈することを特徴とする。
【００１１】
請求項５の発明は、請求項１記載の装飾用パネルにおいて、前記基材の光入射側である表面に、加飾用の模様パターンを有する半透明もしくは透明な加飾層が形成されていることを特徴とする。
【００１２】
請求項６の発明は、請求項１または２項に記載の装飾用パネルにおいて、前記基材は有色透明な材質であることを特徴とする。
【発明の効果】
【００１３】
本発明の装飾用パネルによれば、基材の光入射側の面と反対の面に多数の微小反射部を前記反対の面に沿い連続して配列することで装飾模様を構成し、そして、多数の微小反射部を三次元形状の反射面で形成することにより、この三次元形状の反射面で反射される光の輝度に１／ｆゆらぎの明暗を生じさせて装飾模様に光の明暗を付け、さらに、微小反射部の三次元形状の反射面と光学装飾膜との界面を透過して光学装飾膜に入射する入射光のうち、特定の色の光を光学装飾膜で微小反射部に向け反射することにより、装飾模様を上記光の明暗に合わせた濃淡色にカラー表示するようにしたので、基材に形成された装飾模様を可視領域の光を利用して任意の色で輝光表示させることができるとともに、装飾模様に１／ｆゆらぎによる変化に富んだ見栄えの良い光学的装飾を可能にし、併せて見る者の視覚に作用して、癒し、くつろぎ、または安らぎを与える光学的装飾効果を発揮できる。
【００１４】
また、本発明の装飾用パネルによれば、透明または不透明な板状の基材の一方の面に多数の微小反射部を前記一方の面に沿い連続して配列することで装飾模様を構成し、そして、多数の微小反射部を三次元形状の反射面で形成することにより、この三次元形状の反射面で反射される光の輝度に１／ｆゆらぎの明暗を生じさせて装飾模様に光の明暗を付け、さらに、光学装飾膜に入射される入射光のうち、特定の色の光を基材と反対の方向へ反射することで装飾模様を上記光の明暗に合わせた濃淡色にカラー表示するようにしたので、基材に形成された装飾模様を可視領域の光を利用して任意の色で輝光表示させることができるとともに、装飾模様に１／ｆゆらぎによる変化に富んだ見栄えの良い光学的装飾を可能にし、併せて見る者の視覚に作用して、癒し、くつろぎ、または安らぎを与える光学的装飾効果を発揮できる。
【００１５】
また、本発明の装飾用パネルによれば、基材の光入射側表面に、模様パターンを有する加飾層を形成したので、加飾層の模様パターンに微小反射部で生成された反射光による１／ｆゆらぎのランダムに変化する光の明暗を付加され、これにより、装飾模様に立体感を付与し、より見栄えの装飾用パネルを提供できる。
【００１６】
また、本発明の装飾用パネルによれば、基材を有色透明な材質で成形することにより、装飾用パネルの見栄えを色彩の面から強調することができる。
【発明を実施するための最良の形態】
【００１７】
次に、本発明にかかる装飾用パネルの実施の形態について図面を参照して説明する。なお、本発明の装飾用パネルは、以下に説明する実施の形態に限定されるものではない。
（実施の形態１）
図１は本発明にかかる実施の形態１を示す装飾用パネルの平面図、図２は図１の２−２線に沿う拡大断面図、図３は本実施の形態１における装飾用パネルの光学装飾膜を取り除いて微小反射部を基材の裏面側から見た時の一例を示す一部拡大斜視図、図４は図３の４−４線に沿う拡大断面図、図５は図３の５−５線に沿う拡大断面図、図６は本実施の形態１における装飾用パネルの微小反射部及び光学装飾膜の光に対する作用を模式的に示す断面図である。
【００１８】
本実施の形態１に示す装飾用パネル１０は、図１及び図２に示すように、アクリルやポリカーボネートなどの透明な合成樹脂材またはガラス等の透明材からなる一定厚さの板状の基材１１を備える。この基材１１の光入射側の面（表面）１１ａと反対の面である裏面１１ｂには、例えばモルフォ蝶をデザイン化してなる装飾模様１２が形成されており、さらに、この装飾模様１２の表面を含む基材１１の裏面１１ｂには、装飾模様１２を含む装飾用パネル１０全体をカラー表示する光学装飾膜１３が形成されている。
なお、装飾用パネル１０の照明光１５には、各種照明灯の光または太陽光等の自然光などが用いられる。
【００１９】
前記装飾模様１２は、図１及び図２に示すように、光学装飾膜１３との界面である基材１１の裏面１１ｂに形成された多数の微小反射部１２１を基材１１の裏面１１ｂに沿い連続して配列することで構成される。この多数の微小反射部１２１は、基材１１に入射される入射光を反射または透過するとともに当該反射する光の輝度に１／ｆゆらぎの明暗を生じさせて装飾模様１２に光の明暗を付ける三角屋根型を呈する三次元形状の反射面１２１ａで形成される。また、光学装飾膜１３は、微小反射部１２１の反射面１２１ａと光学装飾膜１３との界面を透過して光学装飾膜１３に入射する入射光のうち、光学装飾膜１３で決定された特定の色の光を微小反射部１２１に向け反射することにより、装飾模様１２を光の明暗に合わせて着色表示するように構成されている。
【００２０】
前記光学装飾膜１３は、図６に示すように、低屈折の薄膜層１３１と高屈折の薄膜層１３２を交互に複数、例えば５〜１０層積層することで構成される。このような光学装飾膜１３は、積層される薄膜層１３１，１３２の屈折率と膜厚を変えることで特定の色の光を反射し、それ以外の色の光を透過するようになっている。
【００２１】
次に、微小反射部１２１で生成される反射光の輝度に不規則に変化する明暗を生じさせる場合の具体例について図３〜図５を参照して説明する。
微小反射部１２１は、図３に示すように、三角屋根型の基本形状を呈し、この基本形状に１／ｆゆらぎを付与することにより、図４及び図５に示すように、三角屋根型の三次元形状に造形された、平面的に連続する凹状反射面１２１ａから構成される。この凹状反射面１２１ａは、その反射による輝度に木漏れ日または小川の水の流れに似た不規則に変化する明暗を生じせるものであり、その形状は次式に示す１／ｆゆらぎ関数ｆ（ｘ）より決定される。
【数１】
2009083375.tif 000003
すなわち、１／ｆゆらぎ関数ｆ（ｘ）で決定される凹状反射面１２１ａは、周波数の違う複数のサイン曲線（２ｉｘ：周波数）に適当な係数２−ｉ（２−ｉ：振幅）をかけて加算した形状となる。これをグラフに表すと図７に示す曲線７１１のようになる。また、符号７１２は周波数の異なる複数のサイン曲線を示す。
【００２２】
上記微小反射部１２１は、図３〜図５に示すように、予め決めた一定の間隔Ｌ（０<Ｌ<１０ｍｍ）で行、列方向に連続して配列され、そして、互いに隣接する各行の微小反射部１２１ｃは列方向に１Ｌ分ずらして配列されている。また、凹状反射面１２１ａの深さｈは、０≦ｈ≦２０ｍｍの範囲に設定される。また、凹状反射面１２１ａの反射角θ１は、その材質がポリカーボネートの場合、約４０度であり、凹状反射面１２１ａの傾斜角θ２は、０≦θ２≦９０°の範囲に設定される。
【００２３】
このような本実施の形態１に示す装飾用パネル１０において、図２に示すように、基材１１の光入射側の面（表面）１１ａが照明光１５により照射されると、この照明光１５は図６に示すように入射光１５ａとなって基材１１内を進行し多数の微小反射部１２１に達する。そして、微小反射部１２１に達した入射光１５ａの一部は１／ｆゆらぎ関数ｆ（ｘ）より決定された微小反射部１２１の凹状反射面１２１ａの形状に応じて矢印１５ｂのように基材１１の表面１１ａ側へ反射される。これに伴い、基材１１の表面１１ａから出射される反射光１５ｂの輝度に１／ｆゆらぎ関数ｆ（ｘ）に応じて不規則に変化する明暗パターンを生じさせるとともに光波長のシフトによる色収差を生じさせる。
【００２４】
また、多数の微小反射部１２１の凹状反射面１２１ａと光学装飾膜１３との界面を透過して光学装飾膜１３に入射する入射光１５ｃのうち、光学装飾膜１３の屈折率と膜厚で決定される特定の色の光、例えば青色の波長に相当する光が光学装飾膜１３で分離され微小反射部１２１に向け反射される。これにより、装飾用パネル１０の表面には、図１に示すように、モルフォ蝶をデザイン化してなる装飾模様１２が表示される。そして、この装飾模様１２を構成する微小反射部１２１の凹状反射面１２１ａに応じて不規則に変化する光の明暗と光学装飾膜１３で分離された光色とが合成された濃淡色に装飾模様１２が着色される。
【００２５】
上記のような本実施の形態１に示す装飾用パネル１０によれば、基材１１の光入射側である表面１１ａと反対の面である裏面１１ｂに多数の微小反射部１２１を基材１１の裏面１１ｂに沿い連続して配列することで装飾模様１２を構成し、そして、多数の微小反射部１２１を三角屋根型の三次元形状を呈する凹状反射面１２１ａで形成することにより、この凹状反射面１２１ａで反射される光の輝度に１／ｆゆらぎの明暗を生じさせて装飾模様１２に光の明暗を付け、さらに、多数の微小反射部１２１の凹状反射面１２１ａと光学装飾膜との界面を透過して光学装飾膜１３に入射する入射光のうち、光学装飾膜１３の屈折率と膜厚で決定される特定の色の光を光学装飾膜１３で分離して微小反射部１２１に向け反射させることにより、装飾模様１２を上記光の明暗に合わせた濃淡色に着色するように構成したので、基材１１に形成された装飾模様１２を可視領域の光を利用して任意の色で輝光表示させることができるとともに、装飾模様１２に１／ｆゆらぎによる変化に富んだ見栄えの良い光学的装飾を可能にし、併せて装飾用パネル１０を見る者の視覚に作用して、癒し、くつろぎ、または安らぎを与える光学的装飾効果を発揮させることができる。
（実施の形態２）
次に、本発明にかかる装飾用パネルの実施の形態２について図８〜図１０を参照して説明する。
【００２６】
図８は本実施の形態２における装飾用パネルの光学装飾膜を取り除いて微小反射部を基材の裏面側から見た時の他の例を示す一部拡大斜視図、図９は図８の８−８線に沿う拡大断面図、図１０は図８の１０−１０線に沿う拡大断面図である。
【００２７】
この実施の形態２に示す装飾用パネル２０は、図８に示すように、アクリルやポリカーボネートなどの透明な合成樹脂材またはガラス等の透明材からなる一定厚さの板状の基材２１を備える。この基材２１の光入射側の面（表面）２１ａと反対の面である裏面２１ｂには、例えばモルフォ蝶などをデザイン化してなる装飾模様２２が形成されている。また、この装飾模様２２の表面を含む基材２１の裏面２１ｂには、図９及び図１０に示すように、装飾模様２２を含む装飾用パネル２０全体を着色表示する光学装飾膜２３が形成されている。
なお、装飾用パネル２０の照明光１５には、各種照明灯の光または太陽光等の自然光などが用いられる。
【００２８】
前記装飾模様２２は、図９及び図１０に示すように、光学装飾膜２３との界面である基材２１の裏面２１ｂに形成された多数の微小反射部２２１を基材２１の裏面２１ｂに沿い連続して配列することで構成される。この多数の微小反射部２２１は、基材２１に入射される入射光を反射または透過するとともに当該反射する光の輝度に１／ｆゆらぎの明暗を生じさせて装飾模様２２に光の明暗を付ける台形屋根型の三次元形状の反射面２２１ａで形成される。また、光学装飾膜２３は、微小反射部２２１の反射面２２１ａと光学装飾膜２３との界面を透過して光学装飾膜２３入射する入射光のうち、光学装飾膜２３で決定された特定の色の光を微小反射部２２１に向け反射することにより、装飾模様２２を光の明暗に合わせて着色表示するように構成されている。
【００２９】
前記光学装飾膜２３は、図６に示す場合と同様に、低屈折の薄膜層と高屈折の薄膜層を交互に複数、例えば５〜１０層積層することで構成される。このような光学装飾膜２３は、積層される薄膜層の屈折率と膜厚を変えることで特定の色の光を反射し、それ以外の色の光を透過するようになっている。
【００３０】
次に、微小反射部２２１で生成される反射光の輝度に不規則に変化する明暗を生じさせる場合の具体例について、図９及び図１０を参照して説明する。
微小反射部２２１は、図９に示すように、台形屋根型の基本形状を呈し、この基本形状に１／ｆゆらぎを付与することで、図８〜図１０に示すように、台形屋根型の三次元形状に造形された、平面的に連続する凹状反射面２２１ａから構成される。この凹状反射面２２１ａは、その反射による輝度に木漏れ日または小川の水の流れに似た不規則に変化する明暗を生じせるものであり、その形状は、上記数１に示す１／ｆゆらぎ関数ｆ（ｘ）より決定される。
すなわち、１／ｆゆらぎ関数ｆ（ｘ）で決定される凹状反射面２２１ａは、周波数の違う複数のサイン曲線（２ｉｘ：周波数）に適当な係数２−ｉ（２−ｉ：振幅）をかけて加算した形状となる。
【００３１】
上記微小反射部２２１は、図８〜図１０に示すように、予め決めた一定の間隔Ｌ（０<Ｌ<１０ｍｍ）で行、列方向に連続して配列され、そして、互いに隣接する各行の微小反射部２２１ｃは列方向に１Ｌ分ずらして配列されている。また、凹状反射面２２１ａの深さｈは、０≦ｈ≦２０ｍｍの範囲に設定される。また、凹状反射面２２１ａの反射角θ１は、その材質がポリカーボネートの場合、約４０度であり、凹状反射面２２１ａの傾斜角θ２は、０≦θ２≦９０°の範囲に設定される。
【００３２】
このような第２の実施の形態に示す装飾用パネル２０において、図９及び図１０に示すように、基材２１の光入射側の面（表面）２１ａが照明光１５により照射されると、この照明光１５は、上記実施の形態１に示す場合と同様に入射光１５ａとなって基材２１内を進行し多数の微小反射部２２１に達する。そして、微小反射部２２１に達した入射光１５ａの一部は１／ｆゆらぎ関数ｆ（ｘ）より決定された微小反射部２２１の凹状反射面２２１ａの形状に応じて基材２１の表面２１ａ側へ反射される。これに伴い、基材２１の表面２１ａから出射される反射光１５ｂの輝度に１／ｆゆらぎ関数ｆ（ｘ）に応じて不規則に変化する明暗パターンを生じさせるとともに光波長のシフトによる色収差を生じさせる。
【００３３】
また、多数の微小反射部２２１の凹状反射面２２１ａと光学装飾膜２３との界面を透過して光学装飾膜２３に入射する入射光１５ｃのうち、光学装飾膜２３の屈折率と膜厚で決定される特定の色の光、例えば青色の波長に相当する光１５ｄが光学装飾膜１３で分離され微小反射部２２１に向け反射される。これにより、装飾用パネル２０の表面には、図１に示すようなモルフォ蝶をデザイン化してなる装飾模様２２が表示される。そして、この装飾模様２２を構成する微小反射部２２１の凹状反射面２２１ａに応じて不規則に変化する光の明暗と光学装飾膜２２で分離された光色とが合成された濃淡色に装飾模様２２が着色される。
【００３４】
したがって、本実施の形態２に示す装飾用パネル２０によれば、基材２１の光入射側である表面２１ａと反対の面である裏面２１ｂに多数の微小反射部２２１を基材２１の裏面２１ｂに沿い連続して配列することで装飾模様２２を構成し、そして、多数の微小反射部２２１を台形屋根型の三次元形状を呈する凹状反射面２２１ａで形成することにより、この凹状反射面２２１ａで反射される光の輝度に１／ｆゆらぎの明暗を生じさせて装飾模様２２に光の明暗を付け、さらに、多数の微小反射部２２１の凹状反射面２２１ａと光学装飾膜との界面を透過して光学装飾膜２３に入射する入射光のうち、光学装飾膜２３の屈折率と膜厚で決定される特定の色の光を光学装飾膜２３で分離して微小反射部２２１に向け反射させることにより、装飾模様２２を上記光の明暗に合わせた濃淡色に着色するように構成したので、基材２１に形成された装飾模様２２を可視領域の光を利用して任意の色で輝光表示させることができるとともに、装飾模様２２に１／ｆゆらぎによる変化に富んだ見栄えの良い光学的装飾を可能にし、併せて、装飾用パネル２０を見る者の視覚に作用して、癒し、くつろぎ、または安らぎを与える光学的装飾効果を発揮させることができる。
（実施の形態３）
次に、本発明にかかる装飾用パネルの実施の形態３について図１１〜図１３を参照して説明する。
【００３５】
図１１は本実施の形態３における装飾用パネルの光学装飾膜を取り除いて微小反射部を基材の裏面側から見た時の他の例を示す一部拡大斜視図、図１２は図１１の１２−１２線に沿う拡大断面図、図１３は図１１の１３−１３線に沿う拡大断面図である。
【００３６】
この実施の形態３に示す装飾用パネル３０は、図１１に示すように、アクリルやポリカーボネートなどの透明な合成樹脂材またはガラス等の透明材からなる一定厚さの板状の基材３１を備える。この基材３１の光入射側の面（表面）３１ａと反対の面である裏面３１ｂには、例えばモルフォ蝶などをデザイン化してなる装飾模様３２が形成されている。また、この装飾模様３２の表面を含む基材３１の裏面３１ｂには、図１１及び図１２に示すように、装飾模様３２を含む装飾用パネル３０全体を着色表示する光学装飾膜３３が形成されている。
なお、装飾用パネル３０の照明光１５には、各種照明灯の光または太陽光等の自然光などが用いられる。
【００３７】
前記装飾模様３２は、図１２及び図１３に示すように、光学装飾膜３３との界面である基材３１の裏面３１ｂに形成された多数の微小反射部３２１を基材３１の裏面３１ｂに沿い連続して配列することで構成される。この多数の微小反射部３２１は、基材３１に入射される入射光を反射または透過するとともに当該反射する光の輝度に１／ｆゆらぎの明暗を生じさせて装飾模様３２に光の明暗を付ける半球型の三次元形状の反射面３２１ａで形成される。また、光学装飾膜３３は、微小反射部３２１の反射面３２１ａと光学装飾膜３３との界面を透過して光学装飾膜３３に入射する入射光のうち、光学装飾膜３３で決定された特定の色の光を微小反射部３２１に向け反射することにより、装飾模様３２を光の明暗に合わせて着色表示するように構成されている。
【００３８】
前記光学装飾膜３３は、図６に示す場合と同様に、低屈折の薄膜層と高屈折の薄膜層を交互に複数、例えば５〜１０層積層することで構成される。このような光学装飾膜３３は、積層される薄膜層の屈折率と膜厚を変えることで特定の色の光を反射し、それ以外の色の光を透過するようになっている。
【００３９】
次に、微小反射部３２１で生成される反射光の輝度に不規則に変化する明暗を生じさせる場合の具体例について、図１２及び図１３を参照して説明する。
微小反射部３２１は、図１２に示すように、半球型の基本形状を呈し、この基本形状に１／ｆゆらぎを付与することで、図１１〜図１３に示すように、半球型の三次元形状に造形された、平面的に連続する凹状反射面３２１ａから構成される。この凹状反射面３２１ａは、その反射による輝度に木漏れ日または小川の水の流れに似た不規則に変化する明暗を生じせるものであり、その形状は、上記数１に示す１／ｆゆらぎ関数ｆ（ｘ）より決定される。
すなわち、１／ｆゆらぎ関数ｆ（ｘ）で決定される凹状反射面３２１ａは、周波数の違う複数のサイン曲線（２ｉｘ：周波数）に適当な係数２−ｉ（２−ｉ：振幅）をかけて加算した形状となる。
【００４０】
上記微小反射部３２１は、図１１〜図１３に示すように、予め決めた一定の間隔Ｌ（０<Ｌ<１０ｍｍ）で行、列方向に連続して配列され、そして、互いに隣接する各行の微小反射部３２１ｃは列方向に１Ｌ分ずらして配列されている。また、凹状反射面３２１ａの深さｈは、０≦ｈ≦２０ｍｍの範囲に設定される。また、凹状反射面３２１ａの反射角θ１は、その材質がポリカーボネートの場合、約４０度であり、凹状反射面３２１ａの傾斜角θ２は、０≦θ２≦９０°の範囲に設定される。
【００４１】
このような第３の実施の形態に示す装飾用パネル３０において、図１２及び図１３に示すように、基材３１の光入射側の面（表面）３１ａが照明光１５により照射されると、この照明光１５は、上記実施の形態１に示す場合と同様に入射光１５ａとなって基材３１内を進行し多数の微小反射部３２１に達する。そして、微小反射部３２１に達した入射光１５ａの一部は１／ｆゆらぎ関数ｆ（ｘ）より決定された微小反射部３２１の凹状反射面３２１ａの形状に応じて基材３１の表面３１ａ側へ反射される。これに伴い基材３１の表面３１ａから出射される反射光１５ｂの輝度に１／ｆゆらぎ関数ｆ（ｘ）に応じて不規則に変化する明暗パターンを生じさせるとともに光波長のシフトによる色収差を生じさせる。
【００４２】
また、多数の微小反射部３２１の凹状反射面３２１ａと光学装飾膜３３との界面を透過して光学装飾膜３３に入射する入射光１５ｃのうち、光学装飾膜３３の屈折率と膜厚で決定される特定の色の光、例えば青色の波長に相当する光１５ｄが光学装飾膜３３で分離され微小反射部３２１に向け反射される。これにより、装飾用パネル３０の表面には、図１に示すようなモルフォ蝶をデザイン化してなる装飾模様３２が表示される。そして、この装飾模様３２を構成する微小反射部３２１の凹状反射面３２１ａに応じて不規則に変化する光の明暗と光学装飾膜３２で分離された光色とが合成された濃淡色に装飾模様３２が着色される。
【００４３】
したがって、本実施の形態３に示す装飾用パネル３０によれば、基材３１の光入射側である表面３１ａと反対の面である裏面３１ｂに多数の微小反射部３２１を基材３１の裏面３１ｂに沿い連続して配列することで装飾模様３２を構成し、そして、多数の微小反射部３２１を半球型の三次元形状を呈する凹状反射面３２１ａで形成することにより、この凹状反射面３２１ａで反射される光の輝度に１／ｆゆらぎの明暗を生じさせて装飾模様３２に光の明暗を付け、さらに、多数の微小反射部３２１の凹状反射面３２１ａと光学装飾膜３３との界面を透過して光学装飾膜３３に入射する入射光のうち、光学装飾膜３３の屈折率と膜厚で決定される特定の色の光を光学装飾膜３３で分離して微小反射部３２１に向け反射させることにより、装飾模様３２を上記光の明暗に合わせた濃淡色に着色するように構成したので、基材３１に形成された装飾模様３２を可視領域の光を利用して任意の色で輝光表示させることができるとともに、装飾模様３２に１／ｆゆらぎによる変化に富んだ見栄えの良い光学的装飾を可能にし、併せて、装飾用パネル３０を見る者の視覚に作用して、癒し、くつろぎ、または安らぎを与える光学的装飾効果を発揮させることができる。
（実施の形態４）
次に、本発明にかかる装飾用パネルの実施の形態４について図１４及び図１５を参照して説明する。
【００４４】
図１４は本発明の実施の形態４における装飾用パネルの要部の拡大断面図、図１５は同じく実施の形態４における装飾用パネルの要部の拡大断面図である。
【００４５】
この実施の形態４は、上記実施の形態１における装飾用パネル１０の装飾模様１２を構成する微小反射部１２１の変形例を示すもので、この微小反射部１２１は、図４及び図５に示す場合と同様に、三角屋根型の基本形状に１／ｆゆらぎを付与することにより、三角屋根型の三次元形状に造形された、平面的に連続する凹状反射面１２１ａを有しており、この凹状反射面１２ａには光学装飾膜１３が形成され、さらに、基材１１の光入射側である表面１１ａには、木目や花柄または幾何学模様などの加飾用の模様パターンを有する半透明もしくは透明な加飾層１８が形成されている。
【００４６】
このような第４の実施の形態における装飾用パネルによれば、基材１１の光入射側表面１１ａに、模様パターンを有する加飾層１８を形成したので、加飾層１８の模様パターンに微小反射部１２１で生成された反射光による１／ｆゆらぎのランダムに変化する光の明暗を付加され、これにより、装飾模様１２に立体感を付与し、より見栄えの装飾用パネルを提供できる。
（実施の形態５）
次に、本発明にかかる装飾用パネルの実施の形態５について、図１６を参照して説明する。
【００４７】
図１６は本発明の実施の形態５における装飾用パネルの微小反射部及び光学装飾膜の光に対する作用を模式的に示す断面図である。
この実施の形態５に示す装飾用パネル４０は、図１６に示すように、アクリルやポリカーボネートなどの透明な合成樹脂材またはガラス等の透明材または不透明材からなる一定厚さの板状の基材４１を備える。この基材４１の光入射側である一方の面４１ａには、例えばモルフォ蝶などをデザイン化してなる装飾模様４２が形成されている。また、この装飾模様４２の一方の面４１ａには、装飾模様４２を含む装飾用パネル４０全体を着色表示する光学装飾膜４３が形成されている。
なお、装飾用パネル４０の照明光１５には、各種照明灯の光または太陽光等の自然光などが用いられる。
【００４８】
前記装飾模様４２は、光学装飾膜４３との界面である基材４１の一方の面４１ａに形成された多数の微小反射部４２１を一方の面４１ａに沿い連続して配列することで構成される。この多数の微小反射部４２１は、基材４１に入射される入射光を反射または透過するとともに当該反射する光の輝度に１／ｆゆらぎの明暗を生じさせて装飾模様４２に光の明暗を付ける三次元形状の反射面で形成される。また、光学装飾膜４３は、この光学装飾膜４３に入射される入射光のうち、特定の色の光を基材４１と反対の方向へ反射することで装飾模様４２を前記光の明暗に合わせて着色表示するように構成されている。
【００４９】
前記光学装飾膜４３は、図６に示す場合と同様に、低屈折の薄膜層と高屈折の薄膜層を交互に複数、例えば５〜１０層積層することで構成される。このような光学装飾膜４３は、積層される薄膜層の屈折率と膜厚を変えることで特定の色の光を反射し、それ以外の色の光を透過するようになっている。
【００５０】
このような本実施の形態５に示す装飾用パネル４０において、図１６に示すように、基材４１の光学装飾膜４３側が照明光１５により照射されると、この照明光１５は図１６に示すように入射光１５ａとなって光学装飾膜４３内を進行し多数の微小反射部４２１に達する。そして、微小反射部４２１に達した入射光１５ａの一部は１／ｆゆらぎ関数ｆ（ｘ）より決定された微小反射部４２１の凹状反射面４２１ａの形状に応じて矢印１５ｂのように基材４１と反対の側へ反射され、光学装飾膜４３の表面から外方へ射出される。これに伴い、光学装飾膜４３の表面から出射される反射光１５ｂの輝度に１／ｆゆらぎ関数ｆ（ｘ）に応じて不規則に変化する明暗パターンを生じさせるとともに光波長のシフトによる色収差を生じさせる。
【００５１】
また、光学装飾膜４３に入射する入射光１５ａのうち、光学装飾膜４３の屈折率と膜厚で決定される特定の色の光、例えば青色の波長に相当する光が光学装飾膜４３で分離されて光学装飾膜４３の表面から外方へ向け反射される。これにより、装飾用パネル４０の表面には、図１に示すように、モルフォ蝶をデザイン化してなる装飾模様４２が表示される。そして、この装飾模様４２を構成する微小反射部４２１の凹状反射面４２１ａに応じて不規則に変化する光の明暗と光学装飾膜４３で分離された光色とが合成された濃淡色に装飾模様４２が着色される。
【００５２】
このような本実施の形態５に示す装飾用パネル４０によれば、透明または不透明な板状の基材４１の一方の面に多数の微小反射部４２１を前記一方の面４１ａに沿い連続して配列することで装飾模様４２を構成し、そして、多数の微小反射部４２１を三次元形状の反射面４２１ａで形成することにより、この三次元形状の反射面で反射される光の輝度に１／ｆゆらぎの明暗を生じさせて装飾模様４２に光の明暗を付け、さらに、光学装飾膜４３に入射される入射光のうち、特定の色の光を基材４１と反対の方向へ反射することで装飾模様４２を上記光の明暗に合わせた濃淡色にカラー表示するようにしたので、基材４１に形成された装飾模様４２を可視領域の光を利用して任意の色で輝光表示させることができるとともに、装飾模様４２に１／ｆゆらぎによる変化に富んだ見栄えの良い光学的装飾を可能にし、併せて見る者の視覚に作用して、癒し、くつろぎ、または安らぎを与える光学的装飾効果を発揮できる。
【００５３】
なお、上記実施の形態では、基材に無色透明な材質または不透明な材質により成形した場合について説明したが、本発明はこれに限らず、基材を有色透明な材質で成形することも可能である。この場合、装飾用パネルの見栄えを色彩の面から強調することができる。
また、本発明にかかる装飾用パネルの小反射部の基本形状は、上記実施の形態に示した三角屋根型、台形屋根型、半球屋根型のものに限らず、小反射部での反射光の輝度に不規則に変化する明暗を生じさせることができる形状のものであれば、どのような形状のものでも良い。
また、本発明にかかる装飾用パネルの微小反射部を形成する三次元の凹状反射面は、数２に示す１／ｆゆらぎ関数で決定される形状のものに限らず、乱数表を利用して凹状反射面の形状を決定するようにすることもできる。
また、本発明の装飾用パネルに形成される装飾模様は、上記実施の形態に示したモルフォ蝶をデザイン化したものに限らず、車両用インストルメントパネルの装飾または家具の扉表面や引き出し用鏡板の装飾、携帯電話機本体の表面の装飾、電化製品の表面の装飾などに使用される装飾用パネルや、文字、ロゴマーク、木目などをデザイン化したものであってもよい。
【図面の簡単な説明】
【００５４】
【図１】本発明にかかる実施の形態１を示す装飾用パネルの平面図である。
【図２】図１の２−２線に沿う拡大断面図である。
【図３】本発明の実施の形態１における装飾用パネルの光学装飾膜を取り除いて微小反射部を基材の裏面側から時の一例を示す一部拡大斜視図である。
【図４】図３の４−４線に沿う拡大断面図である。
【図５】図３の５−５線に沿う拡大断面図である。
【図６】本発明の実施の形態１における装飾用パネルの微小反射部及び光学装飾膜の光に対する作用を模式的に示す断面図である。
【図７】本発明の１／ｆゆらぎ関数で決定される凹状反射面の形状特性を表した場合の一例を示すグラフである。
【図８】本発明の実施の形態２における装飾用パネルの光学装飾膜を取り除いて微小反射部を基材の裏面側から時の他の例を示す一部拡大斜視図である。
【図９】図８の８−８線に沿う拡大断面図である。
【図１０】図８の１０−１０線に沿う拡大断面図である。
【図１１】本発明の実施の形態３における装飾用パネルの光学装飾膜を取り除いて微小反射部を基材の裏面側から時の他の例を示す一部拡大斜視図である。
【図１２】図１１の１２−１２線に沿う拡大断面図である。
【図１３】図１１の１３−１３線に沿う拡大断面図である。
【図１４】本発明の実施の形態４における装飾用パネルの要部の拡大断面図である。
【図１５】本発明の実施の形態４における装飾用パネルの要部の拡大断面図である。
【図１６】本発明の実施の形態５における装飾用パネルの微小反射部及び光学装飾膜の光に対する作用を模式的に示す断面図である。
【符号の説明】
【００５５】
１０，２０，３０，４０    装飾用パネル
１１，２１，３１、４１    基材
１１ａ，２１ａ，３１ａ    表面
１１ｂ，２１ｂ，３１ｂ    裏面
１２，２２，３２，４２    装飾模様
１２１，２２１，３２１，４２１    微小反射部
１２１ａ、２２１ａ，３２１ａ，４２１ａ    凹状反射面
１３，２３，３３，４３    光学装飾膜
１３１    低屈折の薄膜層
１３２    高屈折の薄膜層
１８    加飾層
【図１】
2009083375.tif 000004
【図２】
2009083375.tif 000005
【図３】
2009083375.tif 000006
【図４】
2009083375.tif 000007
【図５】
2009083375.tif 000008
【図６】
2009083375.tif 000009
【図７】
2009083375.tif 000010
【図８】
2009083375.tif 000011
【図９】
2009083375.tif 000012
【図１０】
2009083375.tif 000013
【図１１】
2009083375.tif 000014
【図１２】
2009083375.tif 000015
【図１３】
2009083375.tif 000016
【図１４】
2009083375.tif 000017
【図１５】
2009083375.tif 000018
【図１６】
2009083375.tif 000019
【手続補正書】
【提出日】平成20年6月4日(2008.6.4)
【手続補正１】
【補正対象書類名】明細書
【補正対象項目名】００５３
【補正方法】変更
【補正の内容】
【００５３】
なお、上記実施の形態では、基材に無色透明な材質または不透明な材質により成形した
場合について説明したが、本発明はこれに限らず、基材を有色透明な材質で成形することも可能である。この場合、装飾用パネルの見栄えを色彩の面から強調することができる。  
また、本発明にかかる装飾用パネルの微小反射部の基本形状は、上記実施の形態に示した三角屋根型、台形屋根型、半球屋根型のものに限らず、微小反射部での反射光の輝度に不規則に変化する明暗を生じさせることができる形状のものであれば、どのような形状のものでも良い。
また、本発明にかかる装飾用パネルの微小反射部を形成する三次元の凹状反射面は、数１に示す１／ｆゆらぎ関数で決定される形状のものに限らず、乱数表を利用して凹状反射面の形状を決定するようにすることもできる。
また、本発明の装飾用パネルに形成される装飾模様は、上記実施の形態に示したモルフォ蝶をデザイン化したものに限らず、車両用インストルメントパネルの装飾または家具の扉表面や引き出し用鏡板の装飾、携帯電話機本体の表面の装飾、電化製品の表面の装飾などに使用される装飾用パネルや、文字、ロゴマーク、木目などをデザイン化したものであってもよい。
【手続補正２】
【補正対象書類名】明細書
【補正対象項目名】００５４
【補正方法】変更
【補正の内容】
【００５４】
【図１】本発明にかかる実施の形態１を示す装飾用パネルの平面図である。
【図２】図１の２−２線に沿う拡大断面図である。
【図３】本発明の実施の形態１における装飾用パネルの光学装飾膜を取り除いて微小反射部を基材の裏面側から見た時の一例を示す一部拡大斜視図である。
【図４】図３の４−４線に沿う拡大断面図である。
【図５】図３の５−５線に沿う拡大断面図である。
【図６】本発明の実施の形態１における装飾用パネルの微小反射部及び光学装飾膜の光に対する作用を模式的に示す断面図である。
【図７】本発明の１／ｆゆらぎ関数で決定される凹状反射面の形状特性を表した場合の一例を示すグラフである。
【図８】本発明の実施の形態２における装飾用パネルの光学装飾膜を取り除いて微小反射部を基材の裏面側から見た時の他の例を示す一部拡大斜視図である。
【図９】図８の８−８線に沿う拡大断面図である。
【図１０】図８の１０−１０線に沿う拡大断面図である。
【図１１】本発明の実施の形態３における装飾用パネルの光学装飾膜を取り除いて微小反射部を基材の裏面側から時の他の例を示す一部拡大斜視図である。
【図１２】図１１の１２−１２線に沿う拡大断面図である。
【図１３】図１１の１３−１３線に沿う拡大断面図である。
【図１４】本発明の実施の形態４における装飾用パネルの要部の拡大断面図である。
【図１５】本発明の実施の形態４における装飾用パネルの要部の拡大断面図である。
【図１６】本発明の実施の形態５における装飾用パネルの微小反射部及び光学装飾膜の光に対する作用を模式的に示す断面図である。